(57)【要約】【課題】背の高い人にとって邪魔となることを抑えつつ煙の捕集効率が低下することを抑えることができるレンジフードおよびレンジフードの設置方法を提供することを目的とする。【解決手段】調理用コンロの上方に設置され下端部が開放されたフード筐体であって使用者の背丈に合った任意の高さに固定可能とされたフード筐体と、前記フード筐体の内部に配置され前記下端部から吸引した煙を外部に排出する送風ファンと、前記固定された前記フード筐体の設置高さに合わせて前記送風ファンの運転時の回転数を調整する制御部と、を備えたことを特徴するレンジフードが提供される。【選択図】図１
2013195019.tif 000002
【特許請求の範囲】
【請求項１】
調理用コンロの上方に設置され下端部が開放されたフード筐体であって使用者の背丈に合った任意の高さに固定可能とされたフード筐体と、
前記フード筐体の内部に配置され前記下端部から吸引した煙を外部に排出する送風ファンと、
前記固定された前記フード筐体の設置高さに合わせて前記送風ファンの運転時の回転数を調整する制御部と、
を備えたことを特徴するレンジフード。
【請求項２】
前記レンジフードと、前記調理用コンロが設けられたキッチンカウンタと、のあいだの距離を測定するセンサをさらに備え、
前記制御部は、前記センサから出力された信号に基づいて前記送風ファンの運転時の回転数を調整することを特徴とする請求項１記載のレンジフード。
【請求項３】
使用者の背丈に適した高さにレンジフードを設置する工程と、
前記レンジフードの運転開始スイッチが押されたときの送風ファンの送風量が前記レンジフードの設置高さに適する量となるように、前記設置高さに応じて前記送風ファンの回転数を設定する工程と、
を実行してなるレンジフードの設置方法。
【発明の詳細な説明】
【技術分野】
【０００１】
本発明の態様は、一般的に、レンジフードおよびレンジフードの設置方法に関する。
【背景技術】
【０００２】
調理用コンロの上方に設置されるレンジフードは、調理中に発生する煙（油煙を含む）などを捕集する。そのため、一般的に、レンジフードのフードは、コンロの前に立つ使用者の方向すなわち前方へ伸びている。そのため、比較的背の高い人にとっては、フードが邪魔となり調理しにくい場合がある。
【０００３】
ここで、比較的背の高い人に合わせてフードの設置高さを上げると、煙の捕集効率が低下するという問題がある。すなわち、例えば「弱」、「中」、「強」などのように、一般的に、レンジフードには送風量を調整するスイッチが設けられている。しかし、それぞれの送風量（送風ファンの回転数）は、固定されている。そのため、比較的背の高い人に合わせてフードの設置高さを上げると、例えば「強」の送風量で捕集可能であった煙などを「強」の送風量でも捕集できなくなるおそれがある。
【０００４】
また、フードの設置高さを上げた場合を基準として送風ファンの回転数を設定すると、煙の捕集効率が低下することを抑えることができる一方で、背の標準的な人や比較的背の低い人に合わせてフードの設置高さを下げた場合に、送風ファンの発する音（ファンの風切り音やモータの機械音）が大きくなるという問題がある。すなわち、例えばキッチンやリビングルームなどにおいて、送風ファンの発する音がうるさく感じられ騒音となるおそれがある。
【０００５】
これに対して、排気フードの開口部の開口面積が調整自在とされた排気装置がある（特許文献１）。特許文献１に記載の排気装置は、排気フードの開口部の開口面積を大とした場合に排気ファンを低回転として吸引力を減少させ、開口面積を小とした場合に排気ファンを高回転として吸引力を増大させる。しかし、使用者が排気装置を使用するたびに、排気フードを開閉させる手間がかかるという問題がある。
【０００６】
また、使用者が使用者自身の背丈に応じてフードの高さを変えることができるレンジフードであれば、フードが邪魔となることを抑えつつ、煙の捕集効率が低下することを抑えることができる。しかし、使用者が変わるたびに、フードの高さを変更する必要がある。そのため、フードの高さを変更する作業が煩雑となるという問題がある。また、例えばフードの高さを変更可能とする駆動機構などが必要となり、製品コストがかかるという問題がある。
【先行技術文献】
【特許文献】
【０００７】
【特許文献１】特開昭６０−１６４１４６号公報
【発明の概要】
【発明が解決しようとする課題】
【０００８】
本発明は、かかる課題の認識に基づいてなされたものであり、背の高い人にとって邪魔となることを抑えつつ煙の捕集効率が低下することを抑えることができるレンジフードおよびレンジフードの設置方法を提供することを目的とする。
【課題を解決するための手段】
【０００９】
第１の発明は、調理用コンロの上方に設置され下端部が開放されたフード筐体であって使用者の背丈に合った任意の高さに固定可能とされたフード筐体と、前記フード筐体の内部に配置され前記下端部から吸引した煙を外部に排出する送風ファンと、前記固定された前記フード筐体の設置高さに合わせて前記送風ファンの運転時の回転数を調整する制御部と、を備えたことを特徴するレンジフードである。
【００１０】
このレンジフードによれば、比較的背丈の高い人の頭部がぶつかりにくい高さにレンジフードを設置した場合でも、設置高さに応じて送風ファンの運転時の回転数を調整することで、調理中に発生した煙などを十分に捕集することができる。そのため、レンジフードは、相対的に高い位置に取り付けられても煙などを確実に捕集することができる。また、使用者は、より快適に調理を行うことができる。
【００１１】
また、レンジフードが相対的に低い位置に取り付けられた場合において、送風ファンの運転時の回転数あるいは送風量が相対的に低い値に調整されるときには、送風ファンの発する音が相対的に小さくなる。この場合には、リビングルームなどに騒音が届くことを抑えることができる。さらに、使用者が調理中に感ずる騒音を抑えることができる。そのため、使用者は、より快適に調理を行うことができる。
【００１２】
また、第２の発明は、第１の発明において、前記レンジフードと、前記調理用コンロが設けられたキッチンカウンタと、のあいだの距離を測定するセンサをさらに備え、前記制御部は、前記センサから出力された信号に基づいて前記送風ファンの運転時の回転数を調整することを特徴とするレンジフードである。
【００１３】
このレンジフードによれば、センサがレンジフードの設置高さを認識し、制御部がセンサから出力された信号に基づいて自動的に送風ファンの運転時の回転数を設定する。そのため、より簡易的に送風ファンの運転時の回転数の調整を行うことができ、便利である。
【００１４】
また、第３の発明は、使用者の背丈に適した高さにレンジフードを設置する工程と、前記レンジフードの運転開始スイッチが押されたときの送風ファンの送風量が前記レンジフードの設置高さに適する量となるように、前記設置高さに応じて前記送風ファンの回転数を設定する工程と、を実行してなるレンジフードの設置方法である。
【００１５】
このレンジフードの設置方法によれば、比較的背の高い人がレンジフードを使用する場合において、相対的に高い位置にレンジフードを取り付けても煙などを確実に捕集することができる。また、使用者は、より快適に調理を行うことができる。  
一方、比較的背の低い人がレンジフードを使用する場合において、相対的に低い位置にレンジフードを取り付けても送風ファンの音が比較的小さく感じられる。そのため、使用者は、より快適に調理を行うことができる。
【発明の効果】
【００１６】
本発明の態様によれば、背の高い人にとって邪魔となることを抑えつつ煙の捕集効率が低下することを抑えることができるレンジフードおよびレンジフードの設置方法が提供される。
【図面の簡単な説明】
【００１７】
【図１】本発明の実施の形態にかかるレンジフードが設けられたキッチンを表す模式的平面図である。
【図２】本実施形態にかかるレンジフードを表す模式的平面図である。
【図３】本実施形態にかかるレンジフードの要部構成を例示するブロック図である。
【図４】本実施形態の制御基板に記憶された設置高さとファン回転数（風量換算）との関係の一例を例示する表である。
【図５】本実施形態にかかるレンジフードの他の要部構成を例示するブロック図である。
【図６】本実施形態の操作スイッチの具体例を例示する模式的平面図である。
【図７】本実施形態の操作スイッチの他の具体例を例示する模式的平面図である。
【図８】本具体例の操作スイッチに設けられたランプの状態を例示する模式的平面図である。
【図９】本実施形態にかかるレンジフードのさらに他の要部構成を例示するブロック図である。
【図１０】本実施形態の制御基板に記憶された設置高さおよびファン回転数（風量換算）の他の一例を例示する表である。
【図１１】本実施形態のレンジフード２００の設置方法の一例を例示するフローチャート図である。
【発明を実施するための形態】
【００１８】
以下、本発明の実施の形態について図面を参照しつつ説明する。なお、各図面中、同様の構成要素には同一の符号を付して詳細な説明は適宜省略する。  
図１は、本発明の実施の形態にかかるレンジフードが設けられたキッチンを表す模式的平面図である。  
また、図２は、本実施形態にかかるレンジフードを表す模式的平面図である。
【００１９】
なお、図１（ａ）および図１（ｂ）では、本実施形態のフード筐体の設置高さが互いに異なる。すなわち、図１（ａ）に表したフード筐体の設置高さは、図１（ｂ）に表したフード筐体の設置高さよりも低い。言い換えれば、図１（ｂ）に表したフード筐体の設置高さは、図１（ａ）に表したフード筐体の設置高さよりも高い。  
また、図２（ａ）は、本実施形態にかかるレンジフードを上方から眺めた模式的平面図である。図２（ｂ）は、本実施形態にかかるレンジフードを前方から眺めた模式的平面図である。図２（ｃ）は、本実施形態にかかるレンジフードを側方から眺めた模式的平面図である。
【００２０】
図１（ａ）および図１（ｂ）に表したキッチンにおいては、キッチンカウンタ１１０と、調理用コンロ１２０と、レンジフード２００と、が設けられている。  
調理用コンロ１２０は、キッチンカウンタ１１０の上部に設けられている。レンジフード２００は、調理用コンロ１２０の上方に配置されている。
【００２１】
図２（ａ）〜図２（ｃ）に表したように、本実施形態にかかるレンジフード２００は、フード筐体２１０と、送風ファン２２０と、排気ダクト２３０と、操作スイッチ２４０と、を備える。  
フード筐体２１０は、フード本体２１１と、フード前板２１３と、を有する。フード前板２１３は、フード本体２１１に対して前方に設けられている。図２（ｂ）および図２（ｃ）に表したように、フード筐体２１０は、下端部において開口部２１５を有する。つまり、フード筐体２１０の下端部は、開放されている。
【００２２】
送風ファン２２０は、フード筐体２１０の内部、具体的にはファンケーシング２２９の内部に設けられ、モータ２２１と、羽根２２３と、を有する。羽根２２３は、モータ２２１と連結され、モータ２２１から伝達される駆動力を受けて回転する。
【００２３】
排気ダクト２３０は、送風ファン２２０の上方に設けられ、フード筐体２１０の内部と、例えば屋外などの外部と、を連通している。  
また、操作スイッチ２４０は、フード筐体２１０のフード前板２１３に設けられている。操作スイッチ２４０については、後に詳述する。
【００２４】
使用者が操作スイッチ２４０を操作してレンジフード２００の運転を開始させると、送風ファン２２０のモータ２２１が動作を開始する。すると、送風ファン２２０の羽根２２３が、モータ２２１から伝達される駆動力を受けて回転を開始する。これにより、送風ファン２２０は、調理用コンロ１２０において生ずる煙などをフード筐体２１０の開口部２１５を通して吸引することができる。送風ファン２２０により吸引された煙などは、フィルタ２１９により油分などを取り除かれ、排気ダクト２３０へ送られる。そして、排気ダクト２３０へ送られた煙などは、排気ダクト２３０の内部を通して外部へ導かれ排出される。
【００２５】
ここで、フード筺体２１０の設置高さが成人の平均的な背丈に合わせて一定とすると、図１（ａ）に表したように、使用者の背丈が比較的高いと、フード筐体２１０が邪魔となり調理しにくい場合がある。  
これに対して、本実施形態によれば、図１（ｂ）に表したように、フード筐体２１０を使用者の背丈に合った任意の高さに固定することができる。具体的には、使用者の背丈が比較的高い場合には、フード筐体２１０の設置高さを高くした状態でフード筐体２１０を固定することができる。つまり、図１（ｂ）に表したフード筐体２１０の設置高さＨ２は、図１（ａ）に表したフード筐体２１０の設置高さＨ１よりも高い。一方、使用者の背丈が比較的低い場合には、フード筐体２１０の設置高さを低くした状態でフード筐体２１０を固定することができる。
【００２６】
ここで、本願明細書において「設置高さ」とは、キッチンカウンタ１１０の上面と、固定された状態のレンジフード２００の下端部すなわちフード筐体２１０の下端部と、の間の距離をいうものとする。
【００２７】
但し、図１（ｂ）に表したように、使用者の背丈に合わせてフード筐体２１０の設置高さを高くすると、レンジフード２００の煙などの捕集効率が低下する場合がある。すなわち、後述するように、操作スイッチ２４０は、例えば「弱」、「中」、「強」などのように送風量（送風ファン２２０の回転数）を調整するスイッチを有する。しかし、それぞれスイッチの送風量が固定されている場合には、使用者の背丈に合わせてフード筐体２１０の設置高さを上げると、例えば「強」の送風量で捕集可能であった煙などを「強」の送風量でも捕集できなくなる場合がある。
【００２８】
また、フード筐体２１０の設置高さを上げた場合を基準として送風ファン２２０の回転数を設定すると、煙などの捕集効率が低下することを抑えることができる一方で、フード筐体２１０の設置高さを下げた場合に、送風ファン２２０の発する音（ファンの風切り音やモータの機械音）が大きくなる場合がある。すなわち、例えばキッチンやリビングルームなどにおいて、送風ファン２２０の発する音がうるさく感じられ騒音となる場合がある。
【００２９】
これに対して、本実施形態のレンジフード２００は、固定された状態のフード筐体２１０の高さに合わせて送風ファン２２０の運転時の回転数を調整することができる。具体的には、レンジフード２００が相対的に高い位置に取り付けられた場合には、送風ファン２２０の運転時の回転数は、相対的に高い値に調整される。一方、レンジフード２００が相対的に低い位置に取り付けられた場合には、送風ファン２２０の運転時の回転数は、相対的に低い値に調整される。
【００３０】
送風ファン２２０の回転数の調整について、さらに説明する。本発明の送風ファン２２０の回転数の調整とは、前述した例えば「弱」、「中」、「強」などのように、調理用コンロ１２０において発生する煙などの量に応じて使用者が行う送風量の調整ではなく、例えば施工業者などがレンジフード２００を設置するときに行う送風ファン２２０の回転数の調整（設定）のことをいう。
【００３１】
言い換えれば、本発明の送風ファン２２０の回転数の調整とは、例えば施工業者などがレンジフード２００を設置するときに行う送風ファン２２０の回転数のデフォルト値の設定のことをいう。そのため、使用者が操作スイッチ２４０を操作したときの送風ファン２２０の回転数が、レンジフード２００が取り付けられた高さに応じて変わる。
【００３２】
本実施形態によれば、比較的背丈の高い人の頭部がぶつかりにくい高さにレンジフード２００を設置した場合でも、すなわち使用者の背丈に合わせてフード筐体２１０の設置高さを高くした場合でも、本実施形態にかかるレンジフード２００は、設置高さに応じて送風ファン２２０の運転時の回転数を調整し、調理中に発生した煙などを十分に捕集することができる。そのため、レンジフード２００は、相対的に高い位置に取り付けられても煙などを確実に捕集することができる。また、使用者は、より快適に調理を行うことができる。
【００３３】
また、前述したように、レンジフード２００が相対的に低い位置に取り付けられた場合には、送風ファン２２０の運転時の回転数あるいは送風量は、相対的に低い値に調整される。そのため、送風ファン２２０の発する音が相対的に小さくなり、リビングルームなどに騒音が届くことを抑えることができる。さらに、使用者が調理中に感ずる騒音を抑えることができる。そのため、使用者は、より快適に調理を行うことができる。
【００３４】
次に、本実施形態の送風ファン２２０の回転数の調整の具体例について、図面を参照しつつ説明する。  
図３は、本実施形態にかかるレンジフードの要部構成を例示するブロック図である。  
図４は、本実施形態の制御基板に記憶された設置高さとファン回転数（風量換算）との関係の一例を例示する表である。
【００３５】
図３に表したように、本実施形態にかかるレンジフード２００は、制御基板（制御部）２５１と、トランス２５５と、モータ２２１と、照明２５３と、操作スイッチ２４０と、を有する。制御基板２５１は、交流電源と接続されている。また、トランス２５５と、モータ２２１と、照明２５３と、操作スイッチ２４０と、は、制御基板２５１と接続され、制御基板２５１から送信される信号に基づいて動作を行う。
【００３６】
モータ２２１は、図１および図２に関して前述した如くである。  
図２（ｃ）に表したように、照明２５３は、例えば送風ファン２２０の下方に設けられ、調理用コンロ１２０の近傍を照らすことができる。  
図３に表したように、操作スイッチ２４０は、運転停止スイッチ２４１と、風量大小スイッチ（運転開始スイッチ）２４２と、切替スイッチ２４３と、を有する。
【００３７】
使用者は、運転停止スイッチ２４１を操作することにより、レンジフード２００の運転を停止させることができる。使用者は、風量大小スイッチ２４２を操作することにより、レンジフード２００の運転を開始させることができる。また、使用者は、風量大小スイッチ２４２を操作することにより、送風量すなわち送風ファン２２０の回転数を変更することができる。例えば、使用者は、風量大小スイッチ２４２を押すごとに、送風量を「弱」、「中」、「強」、「弱」、「中」、・・・の順に変更することができる。
【００３８】
ここで、例えば施工業者などは、レンジフード２００を設置するときには、まず使用者の背丈に合う設置高さにフード筐体２１０を設置する。このとき、施工業者などは、操作スイッチ２４０が有する切替スイッチ２４３を用いて、フード筐体２１０の設置高さに応じて送風ファン２２０の回転数を調整する。
【００３９】
具体的には、まず、図４に表した表のように、フード筐体２１０の設置高さと、送風ファン２２０の回転数（風量換算）と、の関係が予め設定されている。図４に表した関係表は、制御基板２５１に予め記憶されている。図４に表した表のように、送風量が「弱」の場合において、設置高さが「８０センチメートル（ｃｍ）」、「９５ｃｍ」、「１１０ｃｍ」へと高くなるにつれて、送風ファン２２０の回転数（風量換算）は、「１５０立方メートル／時間（ｍ３／ｈ）」、「２５０ｍ３／ｈ」、「４００ｍ３／ｈ」へと高くなる。これは、送風量が「中」および「強」の場合についても同様である。
【００４０】
また、施工業者などは、切替スイッチ２４３を押すごとに、図４に表した表の中の「設定番号」を「１」、「２」、「３」、「１」、「２」、・・・の順に切り替えることができる。そこで、施工業者などは、固定したあるいは固定するフード筐体２１０の設置高さに最も近い設置高さの設定番号を切替スイッチ２４３を用いて切り替えて選択する。すると、制御基板２５１は、予め記憶されたテーブルを用いて、入力された設定番号の送風ファン２２０の回転数（風量換算）を設定する。これにより、本実施形態のレンジフード２００は、固定された状態のフード筐体２１０の高さに合わせて送風ファン２２０の運転時の回転数を調整することができる。
【００４１】
なお、図４に表した表は、一例であり、フード筐体２１０の設置高さと、送風ファン２２０の回転数（風量換算）と、の関係は、これだけに限定されるわけではない。
【００４２】
図５は、本実施形態にかかるレンジフードの他の要部構成を例示するブロック図である。  
また、図６は、本実施形態の操作スイッチの具体例を例示する模式的平面図である。
【００４３】
図５および図６に表したように、本具体例の操作スイッチ２４０ａは、図３に表したような切替スイッチ２４３を有していない。図６に表したように、本具体例の操作スイッチ２４０ａは、運転停止スイッチ２４１と、風量大小スイッチ（運転開始スイッチ）２４２と、エアカーテン入／切スイッチ２４４と、切タイマースイッチ２４５と、照明スイッチ２４６と、を有する。風量大小スイッチ２４２は、送風量を「弱」に設定する「弱」スイッチ２４２ａと、送風量を「中」に設定する「中」スイッチ２４２ｂと、送風量を「強」に設定する「強」スイッチ２４２ｃと、を有する。
【００４４】
使用者は、レンジフード２００の運転中に切タイマースイッチ２４５を操作することにより、所定時間後（例えば約３分後）にレンジフード２００の運転を停止させることができる。使用者は、照明スイッチ２４６を押すごとに、照明２５３の点灯と消灯とを交互に切り替えることができる。その他のレンジフード２００の要部構成および操作スイッチ２４０ａの要部構成は、図３に関して前述したレンジフード２００の要部構成および操作スイッチ２４０の要部構成と同様である。
【００４５】
施工業者などは、レンジフード２００を設置するときには、まず使用者の背丈に合う設置高さにフード筐体２１０を設置する。このとき、施工業者などは、運転停止スイッチ２４１および風量大小スイッチ２４２を用いて、フード筐体２１０の設置高さに応じて送風ファン２２０の回転数を調整する。
【００４６】
具体的には、まず、施工業者などは、運転停止スイッチ２４１を例えば５秒間以上押すことで特殊設定モードとする。続いて、施工業者などは、運転開始スイッチ２４２を押し、フード筐体２１０の設置高さを入力する。例えば、施工業者などは、「弱」スイッチ２４２ａを操作することで設置高さ（ｃｍ）の百の位を入力することができる。また、施工業者などは、「中」スイッチ２４２ｂを操作することで設置高さ（ｃｍ）の十の位を入力することができる。また、施工業者などは、「強」スイッチ２４２ｃを操作することで設置高さ（ｃｍ）の一の位を入力することができる。
【００４７】
すなわち、施工業者などは、「弱」スイッチ２４２ａを押すごとに０〜１の数値を繰り返し切り替えて入力することができる。また、施工業者などは、「中」スイッチ２４２ｂあるいは「強」スイッチ２４２ｃを押すごとに０〜９の数値を繰り返し切り替えて入力することができる。
【００４８】
すると、例えば、制御基板２５１は、入力された設置高さに最も近い設置高さの設定番号（図４参照）を選択する。そして、制御基板２５１は、予め記憶されたテーブルを用いて、選択した設定番号の送風ファン２２０の回転数（風量換算）を設定する。
【００４９】
続いて、施工業者などは、フード筐体２１０の設置高さの入力を終了し、運転停止スイッチを５秒間以上押すことで特殊設定モードを解除する。なお、特殊設定モードの解除直前に、運転開始スイッチ２４２の背後に設けられた例えばＬＥＤ（Light Emitting Diode）などが「弱」スイッチ２４２ａ、「中」スイッチ２４２ｂ、および「強」スイッチ２４２ｃのそれぞれにおいて入力値の数だけ点灯する。これにより、施工業者などは、入力した設置高さを確認することができる。ここで、入力した設置高さが間違えている場合には、施工業者などは、運転停止スイッチを５秒間以上押すことで再び特殊設定モードとし、設置高さを再入力することができる。
【００５０】
図７は、本実施形態の操作スイッチの他の具体例を例示する模式的平面図である。  
また、図８は、本具体例の操作スイッチに設けられたランプの状態を例示する模式的平面図である。
【００５１】
図７に表したように、本具体例の操作スイッチ２４０ｂは、運転開始スイッチ２４２を有し、送風量を設定する「弱」スイッチや「中」スイッチや「強」スイッチなどを有していない。また、運転開始スイッチ２４２の上方には、設定された送風量（例えば「弱」、「中」、「強」）の状態を表すランプ２４７が設けられている。その他のレンジフード２００の要部構成および操作スイッチ２４０ｂの要部構成は、図５および図６に関して前述したレンジフード２００の要部構成および操作スイッチ２４０ａの要部構成と同様である。
【００５２】
施工業者などは、レンジフード２００を設置するときには、まず使用者の背丈に合う設置高さにフード筐体２１０を設置する。このとき、施工業者などは、運転開始スイッチ２４２および照明スイッチ２４６を用いて、フード筐体２１０の設置高さに応じて送風ファン２２０の回転数を調整する。
【００５３】
具体的には、施工業者などは、照明スイッチ２４６を押すごとに、入力する設置高さの百の位、十の位、および一の位を切り替えることができる。例えば図８に表したように、百の位が設定されると、ランプ２４７の左端部が点灯する。また、十の位が設定されると、ランプ２４７の左端部および中央部が点灯する。また、一の位が設定されると、ランプ２４７の左端部、中央部、および右端部が点灯する。これにより、施工業者などは、入力する設置高さの「位」を確認することができる。
【００５４】
続いて、施工業者などは、設定したそれぞれの位において、運転開始スイッチ２４２を繰り返し押すことで、フード筐体２１０の設置高さを入力することができる。その他の入力方法は、図５および図６に関して前述した入力方法と同様である。
【００５５】
図９は、本実施形態にかかるレンジフードのさらに他の要部構成を例示するブロック図である。  
また、図１０は、本実施形態の制御基板に記憶された設置高さおよびファン回転数（風量換算）の他の一例を例示する表である。
【００５６】
本実施形態のレンジフード２００は、図５に関して前述したレンジフード２００の要部構成に対して距離センサ２５７をさらに有する。距離センサ２５７としては、例えば、赤外線投受光式の測距センサなどが挙げられる。距離センサ２５７は、レンジフード２００とキッチンカウンタ１１０との間の距離を測定することができる。具体的には、例えば、距離センサ２５７は、フード筐体２１０の下端部とキッチンカウンタ１１０の上面との間の距離を測定することができる。その他のレンジフード２００の要部構成は、図５に関して前述したレンジフード２００の要部構成と同様である。
【００５７】
施工業者などは、レンジフード２００を設置するときには、まず使用者の背丈に合う設置高さにフード筐体２１０を設置する。このとき、施工業者などは、運転停止スイッチ２４１を例えば５秒間以上押すことで特殊設定モードとし、フード筐体２１０の設置高さに応じて送風ファン２２０の回転数を調整する。
【００５８】
具体的には、まず、図１０に表した表のように、フード筐体２１０の設置高さと、送風ファン２２０の回転数（風量換算）と、の関係が予め設定されている。図１０に表した関係表は、制御基板２５１に記憶されている。図１０に表した表のように、送風量が「強」の場合において、設置高さが「８０ｃｍ」、「９５ｃｍ」、「１１０ｃｍ」へと高くなるにつれて、送風ファン２２０の回転数（風量換算）は、「４７０ｍ３／ｈ」、「５３０ｍ３／ｈ」、「６２０ｍ３／ｈ」へと高くなる。一方で、図１０に表した表のように、送風量が「弱」および「中」の場合においては、送風ファン２２０の回転数（風量換算）は、設置高さにかかわらず一定である。
【００５９】
なお、図１０に表した表は、一例であり、これだけに限定されるわけではい。例えば図４に表した表のように、送風量が「弱」、「中」、「強」の場合において、送風ファン２２０の回転数（風量換算）は、設置高さが高くなるにつれて高くなってもよい。
【００６０】
施工業者などが特殊設定モードとすると、距離センサ２５７は、レンジフード２００とキッチンカウンタ１１０との間の距離を測定し制御基板２５１に入力する。制御基板２５１は、距離センサ２５７から出力された信号（測定値）に基づいて、固定したあるいは固定するフード筐体２１０の設置高さに最も近い設置高さの設定番号を選択する。制御基板２５１が選択した設定番号の送風ファン２２０の回転数（風量換算）を設定すると、特殊設定モードは、自動的に解除される。なお、図５および図６に関して前述したように、施工業者などは、特殊設定モードの解除直前に、運転開始スイッチ２４２の背後に設けられた例えばＬＥＤなどにより、設定された設置高さを確認することができる。
【００６１】
このように、本実施形態によれば、距離センサ２５７がレンジフード２００の設置高さを認識し、制御基板２５１が距離センサ２５７から出力された信号に基づいて自動的に送風ファン２２０の回転数を設定する。そのため、より簡易的に送風ファン２２０の回転数の調整を行うことができ、便利である。
【００６２】
なお、図５〜図１０に関して前述した送風ファン２２０の運転時の回転数の調整方法では、制御基板２５１に予め記憶されたテーブルが用いられているが、フード筐体２１０の設置高さと、送風ファン２２０の回転数（風量換算）と、の関係を表す式が制御基板２５１に予め記憶され用いられてもよい。つまり、図５〜図８に関して前述した方法により入力された設置高さ、あるいは図９および図１０に関して前述した方法により測定された設置高さに基づいて、制御基板２５１は、予め記憶した関係式を用いて演算することで送風ファン２２０の回転数（風量換算）を設定してもよい。
【００６３】
次に、本実施形態のレンジフード２００の設置方法について、図面を参照しつつ説明する。  
図１１は、本実施形態のレンジフード２００の設置方法の一例を例示するフローチャート図である。
【００６４】
まず、施工業者などは、使用者の背丈に適した設置高さにレンジフード２００を設置する（ステップＳ１０１）。続いて、施工業者などは、使用者がレンジフード２００の運転開始スイッチ２４２を押したときの送風ファン２２０の送風量がレンジフード２００の設置高さに適する量となるように、レンジフード２００の設置高さに応じて送風ファン２２０の回転数を設定する（ステップＳ１０３）。
【００６５】
具体的には、図３〜図１０に関して前述した方法により、施工業者などは、レンジフード２００の設置高さに応じて送風ファン２２０の回転数を設定する（ステップＳ１０３）。  
なお、ステップＳ１０１およびステップＳ１０３の工程の順序は、図１１に表した順序に限定されず、ステップＳ１０３の工程がステップＳ１０１の工程よりも先に行われてもよい。
【００６６】
本実施形態のレンジフード２００の設置方法によれば、比較的背の高い人がレンジフード２００を使用する場合において、相対的に高い位置にレンジフード２００を取り付けても煙などを確実に捕集することができる。また、使用者は、より快適に調理を行うことができる。  
一方、比較的背の低い人がレンジフード２００を使用する場合において、相対的に低い位置にレンジフード２００を取り付けても送風ファン２２０の音が比較的小さく感じられる。そのため、使用者は、より快適に調理を行うことができる。
【００６７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、レンジフード２００およびフード筐体２１０などが備える各要素の形状、寸法、材質、配置などやフード筐体２１０および送風ファン２２０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６８】
１１０ キッチンカウンタ、  １２０ 調理用コンロ、  ２００ レンジフード、  ２１０ フード筐体、  ２１１ フード本体、  ２１３ フード前板、  ２１５ 開口部、  ２１９ フィルタ、  ２２０ 送風ファン、  ２２１ モータ、  ２２３ 羽根、  ２２９ ファンケーシング、  ２３０ 排気ダクト、  ２４０、２４０ａ、２４０ｂ 操作スイッチ、  ２４１ 運転停止スイッチ、  ２４２ 風量大小スイッチ（運転開始スイッチ）、  ２４２ａ 「弱」スイッチ、  ２４２ｂ 「中」スイッチ、  ２４２ｃ 「強」スイッチ、  ２４３ 切替スイッチ、  ２４４ エアカーテン入／切スイッチ、２４５ 切タイマースイッチ、  ２４６ 照明スイッチ、  ２４７ ランプ、  ２５１ 制御基板、  ２５３ 照明、  ２５５ トランス、  ２５７ 距離センサ
【図１】
2013195019.tif 000003
【図２】
2013195019.tif 000004
【図３】
2013195019.tif 000005
【図４】
2013195019.tif 000006
【図５】
2013195019.tif 000007
【図６】
2013195019.tif 000008
【図８】
2013195019.tif 000009
【図９】
2013195019.tif 000010
【図１０】
2013195019.tif 000011
【図１１】
2013195019.tif 000012
【図７】
2013195019.tif 000013